(57)【要約】【課題】レジューム情報を保持する際の記憶領域に対するアクセス過多を防止することができる再生装置を提供する。【解決手段】レジューム情報を構成する詳細データのうち前回再生停止時から内容が変化した詳細データをレジュームデータ格納領域４Ａ−１に記憶し、この詳細データのオフセット位置ｄとこの詳細データを記憶したページのページ番号ｅを詳細データ管理領域４Ａ−２に記憶し、詳細データが記憶されたページの書き込み済みページ情報ｇをページ管理領域４Ａ−３に記憶する。【選択図】図１
2015158959.tif 000002
【特許請求の範囲】
【請求項１】
データ再生停止時のレジューム情報を記憶し、記憶した前記レジューム情報に基づいて前回再生停止時の状態でデータ再生を再開する機能を有した再生装置であって、
複数のページに分割され、前記ページごとに前記レジューム情報を構成する詳細データが記憶されるレジュームデータ格納領域、前記レジュームデータ格納領域における前記詳細データの記憶開始位置を示すオフセットおよび前記詳細データが記憶された前記ページを示すページ番号が前記詳細データごとに記憶される詳細データ管理領域、および前記レジュームデータ格納領域のどのページまで前記詳細データが記憶されたかを示す書き込み済みページ情報が記憶されるページ管理領域を有する不揮発性の記憶部と、
前記レジューム情報を構成する詳細データのうち、前回再生停止時から内容が変化した詳細データを前記レジュームデータ格納領域に記憶し、この詳細データの前記オフセットの値とこの詳細データを記憶したページのページ番号とを前記詳細データ管理領域に記憶し、前記詳細データが記憶された前記ページの前記書き込み済みページ情報を前記ページ管理領域に記憶する制御部とを備える再生装置。
【請求項２】
前記制御部は、前回再生停止時から内容が変化した書き込み対象の詳細データのサイズがページの空きサイズよりも大きい場合は、前記書き込み対象の詳細データを前記レジュームデータ格納領域における次のページに記憶し、前記次のページがない場合には、前記レジュームデータ格納領域に記憶されている前回再生停止時の内容の各詳細データを読み出して、前記レジュームデータ格納領域、前記詳細データ管理領域および前記ページ管理領域の記憶内容を消去してから再度記憶し、この後に前回再生停止時から内容が変化した前記詳細データを記憶することを特徴とする請求項１記載の再生装置。
【発明の詳細な説明】
【技術分野】
【０００１】
この発明は、レジューム再生機能を有した再生装置に関する。
【背景技術】
【０００２】
ＣＤやＤＶＤなどの光ディスクに記録されたコンテンツを再生する再生装置において、リモコン操作や電源断によってコンテンツの再生が停止された場合に、それまでの再生位置情報や再生メカの状態などといった情報（以下、レジューム情報と記載する）をフラッシュメモリ（不揮発性メモリ）に記憶しておき、再生を再開した際にフラッシュメモリから読み出したレジューム情報に基づいて光ディスク上の前回再生停止された位置から再生を行う機能（レジューム再生機能）が知られている。
【０００３】
従来では、このレジューム情報をフラッシュメモリに記憶する際に、前回に記憶された内容に関わらず、レジューム情報を構成する全てのデータの書き込み要求コマンドを発行してフラッシュメモリに記憶している。
すなわち、レジューム情報を構成するデータのうち、前回に記憶された内容から変化がなくても、このデータをフラッシュメモリから消去して再度書き込む処理が実行される。
【０００４】
また、レジューム情報は一般にフラッシュメモリの特定の記憶領域に記憶されるため、書き込み領域や読み出しの際のアドレス指定などの上記特定の記憶領域に記憶されている情報に対するアドレスの管理は容易に行うことができる。
しかし、フラッシュメモリにレジューム情報を頻繁に記憶する必要が生じた場合、この特定の記憶領域に記憶された前回の内容を消去した上で新たにレジューム情報を書き込む処理が繰り返し行われることになる。
【０００５】
フラッシュメモリなどの半導体メモリは過度に使用（データ消去と書き込み）されると性能が劣化する。例えば、データの消去と書き込みが許容回数以上繰り返されると、書き込み速度や読み出し速度が低下する、といった性能の劣化を引き起こす場合がある。
従って、フラッシュメモリの特定の記憶領域においてレジューム情報の消去と書き込みが許容回数以上に繰り返し行われるとフラッシュメモリの性能が劣化し、ひいてはこれを搭載するディスク再生装置の性能も劣化させてしまう。
これに対して、例えば特許文献１に記載される再生装置では、特定の記憶領域に対するデータの書き替え回数が閾値を超えた場合、新たな記憶領域を設定して許容回数を超えるデータの書き替えを防止している。
【先行技術文献】
【特許文献】
【０００６】
【特許文献１】特開平１１−２３８３１７号公報
【発明の概要】
【発明が解決しようとする課題】
【０００７】
従来では、再生停止時にメモリに記憶されている前回のレジューム情報を構成する全てのデータを消去（初期化）してから今回のレジューム情報を書き込むため、前回から内容に変化がないデータが再度書き込まれる場合がある。このため、フラッシュメモリの特定の記憶領域でデータの消去と書き込みが過度に繰り返され、フラッシュメモリの性能劣化を引き起こしやすいという課題があった。
【０００８】
これに対して、特許文献１の発明のようにデータ書き替え回数が閾値を超えた場合に、データの書き替えを行う記憶領域を切り替えることも考えられる。
しかしながら、フラッシュメモリにおいて切り替え用の記憶領域を複数用意する必要がある。また新たな記憶領域に切り替える場合、前回の記憶領域から書き込み領域や読み出しの際のアドレス指定なども変更されるため、アドレス管理が複雑化する。
【０００９】
さらに、特許文献１の発明をレジューム再生機能に適用しても、データ書き替え回数が閾値に達するまでの間は、フラッシュメモリにおいて、レジューム情報を構成する全てのデータの消去と書き込みが繰り返し行われる。このため、フラッシュメモリの性能劣化を根本的に解決することはできない。
【００１０】
この発明は上記のような課題を解決するためになされたもので、レジューム情報を保持する際の記憶領域に対するアクセス過多を防止することができる再生装置を得ることを目的とする。
【課題を解決するための手段】
【００１１】
この発明に係る再生装置は、データ再生停止時のレジューム情報を記憶し、記憶したレジューム情報に基づいて前回再生停止時の状態でデータ再生を再開する機能を有した再生装置であって、複数のページに分割され、ページごとにレジューム情報を構成する詳細データが記憶されるレジュームデータ格納領域、レジュームデータ格納領域における詳細データの記憶開始位置を示すオフセットおよび詳細データが記憶されたページを示すページ番号が詳細データごとに記憶される詳細データ管理領域、およびレジュームデータ格納領域のどのページまで詳細データが記憶されたかを示す書き込み済みページ情報が記憶されるページ管理領域を有する不揮発性の記憶部と、レジューム情報を構成する詳細データのうち、前回再生停止時から内容が変化した詳細データをレジュームデータ格納領域に記憶し、この詳細データのオフセットの値とこの詳細データを記憶したページのページ番号とを詳細データ管理領域に記憶し、詳細データが記憶されたページの書き込み済みページ情報をページ管理領域に記憶する制御部とを備える。
【発明の効果】
【００１２】
この発明によれば、レジューム情報を保持する際の記憶領域に対するアクセス過多を防止することができるという効果がある。
【図面の簡単な説明】
【００１３】
【図１】この発明の実施の形態１に係る再生装置の構成を示すブロック図である。
【図２】フラッシュメモリにおけるレジューム情報の記憶領域を示す図である。
【図３】実施の形態１におけるレジュームデータ格納領域、詳細データ管理領域、およびページ管理領域を示す図である。
【図４】実施の形態１に係る再生装置の動作を示すフローチャートである。
【発明を実施するための形態】
【００１４】
実施の形態１．
図１は、この発明の実施の形態１に係る再生装置の構成を示すブロック図である。図１において、再生装置１は、ＣＤやＤＶＤなどのディスクに記録されたデータを読み出して再生するディスク再生装置であり、ディスク読み出しメカ部２、プレイヤ３およびフラッシュメモリ４を備えて構成される。ディスク読み出しメカ部２は、ディスクに記録されたデータを読み出すメカ部であって、光ピックアップ、ターンテーブルおよびこれらを駆動するドライバなどを備えて構成される。
【００１５】
プレイヤ３は、ディスク読み出しメカ部２によってディスクから読み出されたデータを再生する構成要素であり、再生部３ａおよび制御部３ｂを備える。
再生部３ａは、制御部３ｂの制御に従い、ディスク読み出しメカ部２によってディスクから読み出されたデータを再生する。再生部３ａによって再生されたデータは、不図示の表示部や音声出力部から出力される。
【００１６】
制御部３ｂはプレイヤ３の内部構成の動作を制御する。また制御部３ｂは、レジューム再生モードが設定されると、再生部３ａによるデータ再生が停止された際に、レジューム情報をフラッシュメモリ４に記憶する。このとき、制御部３ｂは、レジューム情報を構成する詳細データのうち、前回再生停止時から内容が変化した詳細データを、フラッシュメモリ４のレジュームデータ格納領域に記憶する。
さらに、この詳細データのオフセットおよびこの詳細データを記憶したページのページ番号をフラッシュメモリ４の詳細データ管理領域に記憶し、フラッシュメモリ４の詳細データが記憶されたページの書き込み済みページ情報をページ管理領域に記憶する。
【００１７】
フラッシュメモリ４は、レジューム情報を記憶する不揮発性の記憶部であり、記憶領域における予め定めた領域にレジューム情報およびこれに関連する情報が記憶される。
図２は、フラッシュメモリ４におけるレジューム情報の記憶領域を示す図である。また図３は実施の形態１におけるレジュームデータ格納領域４Ａ−１、詳細データ管理領域４Ａ−２およびページ管理領域４Ａ−３を示す図である。
フラッシュメモリ４には、図２に示すようにレジューム情報を記憶する予め定めた記憶領域４Ａが形成されている。本発明では、この記憶領域４Ａを、図３（ａ）に示すレジュームデータ格納領域４Ａ−１と、図３（ｂ）に示す詳細データ管理領域４Ａ−２と、図３（ｃ）に示すページ管理領域４Ａ−３とに分ける。
【００１８】
レジュームデータ格納領域４Ａ−１は、複数のページ１，２，３，・・・，ｎに分割されており、ページごとにレジューム情報を構成する詳細データが記憶される記憶領域である。例えば、図３（ａ）に示すように、詳細データの実データａおよび詳細データが記憶されたページの使用バイト数ｂを、未使用の先頭のページから順に記憶する。
なお、レジューム情報とは再生停止時の再生状態を示す情報であり、予め定められた詳細データから構成されている。詳細データは個々に初期化が可能な最小単位のデータであり、例えば、再生停止時までの再生位置情報、再生対象データのタイトル情報とチャプタ情報、プレイヤ３の設定情報、ディスクの設定情報、ディスク読み出しメカ部２の状態を示す情報などがある。
すなわち、詳細データはそれぞれのデータ内容で再生停止時の再生状態を示しており、互いに関連はない。このため、詳細データを個々に初期化しても他の詳細データの内容に影響はない。
【００１９】
詳細データ管理領域４Ａ−２は、レジュームデータ格納領域４Ａ−１のどこに詳細データが格納されているかを管理する管理情報が記憶される記憶領域であり、詳細データごとの管理情報を記憶する記憶領域ｃ１，ｃ２，ｃ３，ｃ４，・・・が予め定められている。
管理情報には、レジュームデータ格納領域４Ａ−１における詳細データの記憶開始位置を示すオフセットｄおよびこの詳細データが記憶されたページのページ番号ｅがあり、これらの情報が詳細データごとに記憶される。
【００２０】
なお、オフセットｄは０からレジュームデータ格納領域４Ａ−１における詳細データの書き込み可能バイト数分の値をとり、１バイトのデジタル値で表すことができる。
またページ番号ｅは１から最終ページ番号ｎまでの値をとることができ、同様に１バイトのデジタル値で表すことができる。すなわち、詳細データ管理領域４Ａ−２には、詳細データがレジュームデータ格納領域４Ａ−１に書き込まれる度に、オフセットｄとページ番号ｅを合わせた２バイトのデータが書き込まれる。
【００２１】
ページ管理領域４Ａ−３は、レジュームデータ格納領域４Ａ−１のどのページまで詳細データが記憶されたかを示す書き込み済みページ情報が記憶される記憶領域である。
例えば、図３（ｃ）に示すように、ページ管理領域４Ａ−３には、レジュームデータ格納領域４Ａ−１のページ順に、詳細データが記憶されていないページを示す未使用ページ情報ｆの値（０ｘＦＦ）が設定される。一方、詳細データがページに記憶された場合には、このページが書き込み済みであることを示す書き込み済みページ情報ｇの値（０ｘ００）が未使用ページ情報ｆに上書きされる。
【００２２】
次に動作について説明する。
図４は、実施の形態１に係る再生装置の動作を示すフローチャートである。この図４と図３を用いてレジューム情報の書き込み処理の詳細を述べる。
まず、制御部３ｂは、レジューム再生モードでデータ再生が停止されると、再生停止時の再生状態を示すレジューム情報を、ディスク読み出しメカ部２や再生部３ａから取得する。
そして、制御部３ｂは、フラッシュメモリ４のレジュームデータ格納領域４Ａ−１に記憶されている前回の再生停止時に記憶された詳細データを参照して、今回のレジューム情報を構成する詳細データのうち、前回再生停止時から内容が変化した詳細データを抽出する。抽出した詳細データがフラッシュメモリ４への書き込み対象となる。
【００２３】
次に、制御部３ｂは、ページ管理領域４Ａ−３に記憶された書き込み済みページ情報ｇを基に現在の使用中のページを確認する（ステップＳＴ１）。さらに、制御部３ｂは、詳細データ管理領域４Ａ−２の内容を参照して現在使用中のページにおける最も大きいオフセットｄを確認する（ステップＳＴ２）。続いて、制御部３ｂは、書き込み対象として抽出した詳細データ（以下、書き込みデータと適宜称す）のサイズが、最も大きいオフセットｄのある使用中ページの空きデータサイズより小さいか否かを判定する（ステップＳＴ３）。
【００２４】
ここで書き込みデータのサイズが使用中ページの空きサイズより小さい場合（ステップＳＴ３；ＹＥＳ）、制御部３ｂは、書き込みデータをレジュームデータ格納領域４Ａ−１の使用中ページ（最も大きいオフセットｄのある使用中ページ）の空き領域に書き込む（ステップＳＴ４）。
本発明では、従来のようにデータが既に書き込まれた使用中の領域に対して初期化と書き込みを行うのではなく、上述のように未使用領域から優先的にデータを書き込むように書き込み対象の領域を動的に決定している。このようにすることで、フラッシュメモリ４における特定の領域に過度にアクセスが集中することを防止できる。これにより、フラッシュメモリ４の性能劣化を予防することができる。
【００２５】
例えば、図３（ａ）に示すように、レジュームデータ格納領域４Ａ−１の先頭のページ（ページ１）から、詳細データ“ＤａｔａＡ”の実データａが書き込まれ、これに続いて実データａの書き込みに使用されたページのバイト数である使用バイト数ｂが書き込まれる。
また次の詳細データを書き込む際には、このデータのバイト数が使用中ページの空きバイト数より小さければ、既に書き込みされたデータに続いて書き込みが行われる。例えば、図３（ａ）の場合、最初に書き込まれた詳細データ“ＤａｔａＡ”に引き続き詳細データ“ＤａｔａＢ”の実データと使用バイト数が記憶されている。
【００２６】
また、本発明では、使用中ページの空きサイズが書き込みデータのサイズよりも大きければ、図３（ａ）に示すように、前回に記憶した詳細データ“ＤａｔａＡ”から実データの内容が変化した詳細データ“ＤａｔａＡ”を書き込む場合、前回に記憶した詳細データ“ＤａｔａＡ”の実データおよび使用バイト数を消去せずそのまま残して新たな内容の詳細データ“ＤａｔａＡ”の書き込みが行われる。従来では、再生停止の度に過去のレジューム情報を消去して新たなデータの書き込みを行っていたが、上述のようにページに空きサイズがある限り過去のレジューム情報を消去せず新たなデータの書き込みを行うことにより記憶領域４Ａに対するアクセス回数を削減できる。なお、再生を再開する場合、前回の再生停止で記憶した最新の詳細データを利用すればよい。
【００２７】
上述のようにしてレジュームデータ格納領域４Ａ−１に詳細データを記憶すると、制御部３ｂは、詳細データ管理領域４Ａ−２における書き込み対象の詳細データに予め割り当てられた記憶領域にオフセットｄとページ番号ｅの書き込みに必要な２バイトの空きがあるか否かを確認する（ステップＳＴ５）。２バイトの空きサイズがない場合（ステップＳＴ５；ＮＯ）、制御部３ｂは、詳細データ管理領域４Ａ−２における書き込み対象の詳細データに予め割り当てられた記憶領域の記憶内容を消去して初期化する（ステップＳＴ６）。
【００２８】
書き込み対象の詳細データに予め割り当てられた記憶領域に２バイトの空きサイズがある場合（ステップＳＴ５；ＹＥＳ）、あるいは、ステップＳＴ６で上記領域を初期化した場合、制御部３ｂは、詳細データ管理領域４Ａ−２における書き込み対象の詳細データに予め割り当てられた記憶領域にオフセットｄの値とページ番号ｅを書き込む（ステップＳＴ７）。
なお、詳細データ管理領域４Ａ−２には、レジューム情報を構成する詳細データごとに記憶領域が予め割り当てられている。図３（ｂ）に示す場合、詳細データ“ＤａｔａＡ”には記憶領域ｃ１が割り当てられ、詳細データ“ＤａｔａＢ”には記憶領域ｃ２、詳細データ“ＤａｔａＣ”には記憶領域ｃ３、詳細データ“ＤａｔａＤ”には記憶領域ｃ４が割り当てられ、その他の詳細データについても同様に記憶領域が割り当てられている。
【００２９】
図３（ａ）に示すように、詳細データ“ＤａｔａＡ”は、レジュームデータ格納領域４Ａ−１においてページ１の先頭と詳細データ“ＤａｔａＢ”に続いてそれぞれ書き込まれている。
これにより、詳細データ管理領域４Ａ−２の記憶領域ｃ１には、最初のデータ“ＤａｔａＡ”について、ページ１を示すページ番号ｅとページ１の先頭が記憶開始位置であることを示すオフセットｄの値である０が書き込まれる。
さらに、次のデータ“ＤａｔａＡ”について、ページ１を示すページ番号ｅとページ１における詳細データ“ＤａｔａＢ”に続く位置が記憶開始位置であることを示すオフセットの値である１２（先頭０バイトから１２バイト目）が書き込まれる。
同様に、記憶領域ｃ２には、データ“ＤａｔａＢ”について、ページ１を示すページ番号ｅとページ１における最初のデータ“ＤａｔａＡ”に続く位置が記憶開始位置であることを示すオフセットの値である８（先頭０バイトから８バイト目）が書き込まれる。また記憶領域ｃ４には、データ“ＤａｔａＤ”について、ページ１を示すページ番号ｅとページ１における２番目のデータ“ＤａｔａＡ”に続く位置が記憶開始位置であることを示すオフセットの値である１９（先頭０バイトから１９バイト目）が書き込まれる。
【００３０】
また、制御部３ｂは、レジュームデータ格納領域４Ａ−１のページ１に詳細データを書き込むと、図３（ｃ）に示すように、ページ管理領域４Ａ−３のページ１に対応する未使用ページ情報ｆを示す値（０ｘＦＦ）を、書き込み済みページ情報ｇを示す値（０ｘ００）で上書きする。
一方、書き込みデータのサイズが使用中ページの空きサイズより大きい場合（ステップＳＴ３；ＮＯ）、制御部３ｂは、レジュームデータ格納領域４Ａ−１に次のページがあるか否かを確認する（ステップＳＴ８）。
【００３１】
レジュームデータ格納領域４Ａ−１に次のページがある場合（ステップＳＴ８；ＹＥＳ）、制御部３ｂは、このページの先頭に書き込みデータの実データおよび使用バイト数を書き込む（ステップＳＴ９）。この後、制御部３ｂは、ページ管理領域４Ａ−３における次のページに対応する領域の未使用ページ情報ｆを使用済みに設定する、すなわち次のページに対応する領域に書き込み済みページ情報ｇを書き込む（ステップＳＴ１０）。この後、ステップＳＴ５の処理に移行する。
【００３２】
またレジュームデータ格納領域４Ａ−１に次のページがない場合（ステップＳＴ８；ＮＯ）、制御部３ｂは、レジュームデータ格納領域４Ａ−１、詳細データ管理領域４Ａ−２およびページ管理領域４Ａ−３から有効データを読み出す（ステップＳＴ１１）。ここで、有効データとは、レジュームデータ格納領域４Ａ−１に記憶されている、前回再生停止時の内容の各詳細データである。次に、制御部３ｂは、レジュームデータ格納領域４Ａ−１、詳細データ管理領域４Ａ−２およびページ管理領域４Ａ−３の記憶内容を消去して初期化する（ステップＳＴ１２）。
【００３３】
続いて、制御部３ｂは、レジュームデータ格納領域４Ａ−１のページ１の先頭位置から順に、ステップＳＴ１１で読み出した有効データ（詳細データ）の実データと使用バイト数を記憶する。また、制御部３ｂは、詳細データ管理領域４Ａ−２における有効データに割り当てられた領域の先頭から順に、この有効データのオフセットｄの値およびページ番号ｅを記憶する。
さらに、制御部３ｂは、ページ１に対応する書き込み済みページ情報ｇをページ管理領域４Ａ−３に書き込む。これにより、初期化された各領域に有効データが再度記憶される。ここまでの処理がステップＳＴ１３に相当する。
【００３４】
この後、制御部３ｂは、ステップＳＴ４の処理に戻り、現在の書き込みデータ（前回再生停止時から内容が変化した詳細データ）の実データａおよび使用バイト数ｂをレジュームデータ格納領域４Ａ−１に記憶し、この書き込みデータに対応する管理情報を詳細データ管理領域４Ａ−２およびページ管理領域４Ａ−３に書き込む。このようにページの空きサイズがなくなった時点で各記憶領域の記憶内容を消去することにより、フラッシュメモリ４の記憶領域に対するアクセス回数を削減できる。
【００３５】
以上のように、この実施の形態１によれば、複数のページ１，２，３，・・・，ｎに分割され、ページごとにレジューム情報を構成する詳細データが記憶されるレジュームデータ格納領域４Ａ−１、レジュームデータ格納領域４Ａ−１における詳細データの記憶開始位置を示すオフセットｄおよび詳細データが記憶されたページを示すページ番号ｅが詳細データごとに記憶される詳細データ管理領域４Ａ−２およびレジュームデータ格納領域４Ａ−１のどのページまで詳細データが記憶されたかを示す書き込み済みページ情報が記憶されるページ管理領域４Ａ−３を有するフラッシュメモリ４と、レジューム情報を構成する詳細データのうち、前回再生停止時から内容が変化した詳細データをレジュームデータ格納領域４Ａ−１に記憶し、この詳細データのオフセットｄとこの詳細データを記憶したページのページ番号ｅを詳細データ管理領域４Ａ−２に記憶し、詳細データが記憶されたページの書き込み済みページ情報ｇをページ管理領域４Ａ−３に記憶する制御部３ｂとを備える。
このように構成することで、フラッシュメモリ４の記憶領域４Ａにおける未使用領域から優先的に詳細データを書き込むように書き込み対象の領域が動的に決定されるため、記憶領域４Ａに対するアクセス過多を防止することができる。これによりフラッシュメモリ４の性能劣化を予防することができる。
【００３６】
また、この実施の形態１によれば、制御部３ｂは、前回再生停止時から内容が変化した書き込み対象の詳細データのサイズがページの空きサイズよりも大きい場合は、書き込み対象の詳細データをレジュームデータ格納領域４Ａ−１における次のページに記憶し、次のページがない場合には、レジュームデータ格納領域４Ａ−１に記憶されている前回再生停止時の内容の各詳細データを読み出して、レジュームデータ格納領域４Ａ−１、詳細データ管理領域４Ａ−２およびページ管理領域４Ａ−３の記憶内容を消去してから再度記憶し、この後に前回再生停止時から内容が変化した詳細データを記憶する。このように、レジュームデータ格納領域４Ａ−１の空き領域がなくなって全てのページで詳細データの書き込みが不可になった時点で、フラッシュメモリ４の記憶領域４Ａの初期化と書き込みを行うことで、記憶領域４Ａに対するアクセス過多を防止することができる。
【００３７】
なお、上記実施の形態１では、ディスク再生装置に本発明を適用した場合を示したが、これに限定されるものではない。例えば、ディスク以外の記録メディアに記録されているデータを再生する再生装置であってもよく、また通信ネットワークを介してダウンロードしたコンテンツデータを再生する再生装置であってもよい。
【００３８】
なお、本発明はその発明の範囲内において、実施の形態の任意の構成要素の変形、もしくは実施の形態の任意の構成要素の省略が可能である。
【符号の説明】
【００３９】
１  再生装置、２  ディスク読み出しメカ部、３  プレイヤ、３ａ  再生部、３ｂ  制御部、４  フラッシュメモリ、４Ａ  記憶領域、４Ａ−１  レジュームデータ格納領域、４Ａ−２  詳細データ管理領域、４Ａ−３  ページ管理領域。
【図１】
2015158959.tif 000003
【図２】
2015158959.tif 000004
【図３】
2015158959.tif 000005
【図４】
2015158959.tif 000006